(57)【要約】【課題】石油ストーブの給油情報や故障、メンテナンス情報等を使用者に不快感を与えずに、見やすく分かり易く知らせることができるようにする。【解決手段】石油ストーブ本体１に、給油センサ１３の検知情報や故障、メンテナンス情報等を静止画又は動画により知らせるモニタ用液晶画面５と音声によって知らせる音声ＩＣ１６を設け、見やすく分かり易く表現できるようにすると共に給油時及び満量時にはこのモニタ用液晶画面５にペットキャラクター６を登場させたり、その音声を発するようにしたことで、今まで苦痛に感じていた給油作業がペットにエサを与える感覚となり、リアクションを楽しみながら石油ストーブと接することができるようになり給油作業そのものが楽しくなると共に、石油ストーブを実際のペットと同じように扱うようになるため、故障、メンテナンス等に対する処置が正しく行われるようになる。【選択図】  図１
2004340503.tif 000002
【特許請求の範囲】
【請求項１】
給油センサ或いは補給センサの検知情報を音声ＩＣによる音声と、静止画又は動画により知らせるモニタ用液晶画面を設けたことを特徴とする石油ストーブ、及び補給又は故障の報知を行う機器の報知装置。
【請求項２】
前記音声及び静止画又は動画は、給油或いは補給以外の故障、メンテナンス等でも表現可能としたことを特徴とする請求項１記載の石油ストーブ、及び補給又は故障の報知を行う機器の報知装置。
【請求項３】
前記音声は、子猫、子犬等のペットキャラクターの鳴き声とし、給油報知或いは補給報知はペットキャラクターの空腹時の鳴き声、満量報知或いは補給完了報知はペットキャラクターの満腹時の鳴き声としたことを特徴とする請求項１記載の石油ストーブ、及び補給又は故障の報知を行う機器の報知装置。
【請求項４】
前記静止画又は動画は、子猫、子犬等のペットキャラクターの画像とし、給油画像或いは補給画像はペットキャラクターの空腹時の画像、満量画像或いは補給完了画像はペットキャラクターの満腹時の画像としたことを特徴とする請求項１記載の石油ストーブ、及び補給又は故障の報知を行う機器の報知装置。
【請求項５】
前記音声は、子猫、子犬等のペットキャラクターの鳴き声とし、給油毎或いは補給毎或いは複数回の給油毎或いは複数回の補給毎にペットキャラクターの鳴き声が成長した鳴き声になることを特徴とする請求項１及び３記載の石油ストーブ、及び補給又は故障の報知を行う機器の報知装置。
【請求項６】
前記静止画又は動画は、子猫、子犬等のペットキャラクターの画像とし、給油毎或いは補給毎或いは複数回の給油毎或いは複数回の補給毎にペットキャラクターの画像が成長した画像になることを特徴とする請求項１及び４記載の石油ストーブ、及び補給又は故障の報知を行う機器の報知装置。
【請求項７】
前記音声は、子猫、子犬等のペットキャラクターの鳴き声とし、このペットキャラクターの鳴き声を複数設け、その中からペットキャラクターの鳴き声を適宜選択可能としたことを特徴とする請求項１及び３及び５記載の石油ストーブ、及び補給又は故障の報知を行う機器の報知装置。
【請求項８】
前記静止画又は動画は、子猫、子犬等のペットキャラクターの画像とし、このペットキャラクターの画像を複数設け、その中からペットキャラクターの画像を適宜選択可能としたことを特徴とする請求項１及び４及び６記載の石油ストーブ、及び補給又は故障の報知を行う機器の報知装置。
【請求項９】
前記ペットキャラクターは成長しきると、そのペットキャラクターの子供に画像が切り替わり成長を繰り返すことを特徴とする請求項５〜８記載の石油ストーブ、及び補給又は故障の報知を行う機器の報知装置。
【請求項１０】
前記ペットキャラクターは成長しきると、それまでのデータはクリアされ、初期のペットキャラクターの画像に戻り、成長を繰り返すことを特徴とする請求項５〜８記載の石油ストーブ、及び補給又は故障の報知を行う機器の報知装置。
【請求項１１】
前記ペットキャラクターは成長しきると、違うペットキャラクターの初期画像に切り替わり、成長を繰り返すことを特徴とする請求項５〜８記載の石油ストーブ、及び補給又は故障の報知を行う機器の報知装置。
【請求項１２】
前記ペットキャラクターの成長データは石油ストーブ本体或いは補給又は故障の報知を行う機器の報知装置本体の電源ＯＦＦでも、初期化されること無く、本体内蔵メモリに自動的に保存されることを特徴とする請求項３〜５記載の石油ストーブ、及び補給又は故障の報知を行う機器の報知装置。
【発明の詳細な説明】
【０００１】
【発明の属する技術分野】
本発明は、石油ファンヒータ等の石油ストーブの給油報知装置及び補給又は故障の報知を行う機器の報知装置に関するものである。
【０００２】
【従来の技術】
従来の一例を上げれば石油ストーブでは、給油状態と故障、メンテナンス等の状態を表示するのに、通常はランプの点灯と警報音により行っており、そのランプは一般に石油ストーブ本体の正面の一部分に設けられている。（例えば、特許文献１参照）
【０００３】
【特許文献１】特公平４―６３９６８号
【０００４】
【発明が解決しようとする課題】
従って、従来のものは、表示ランプや表示画面が小さくて見にくい。又給油或いは補給と故障、メンテナンス等を警報音で知らせるが、その音は使用者に給油或いは補給と故障対応、メンテナンスを迫り、音を聞いただけで不快に感じる場合がある。
【０００５】
そこで、この発明の第１の目的は、モニタ用液晶画面と音声ＩＣを設け、給油センサ或いは補給センサの検知情報や故障、メンテナンス情報等を静止画又は動画と、音声によって見やすく分かり易く表現し、使用者に不快感を与えないようにすることである。
【０００６】
そして、この発明の第２の目的は、給油センサ或いは補給センサの検知情報と故障、メンテナンス情報等をペットキャラクターの静止画又は動画と音声によって知らせることで、給油或いは補給がペットにエサを与える感覚となり、又給油或いは補給及び給油回数或いは補給回数に応じてペットキャラクターが反応し成長することで、給油或いは補給が楽しく進んでしたくなり、更に石油ストーブ及び補給又は故障の報知を行う機器の報知装置を実際のペットと同じように扱うようになり、故障やメンテナンス等に対する処置が正しく行われるようにすることである。
【０００７】
【課題を解決するための手段】
請求項１に係る発明は、上記第１の目的を達成するため、石油ストーブ及び補給又は故障の報知を行う機器の報知装置にモニタ用液晶画面と音声ＩＣを設けたことを特徴としたことで、給油センサ或いは補給センサの検知情報を画像と音声で表現することができ、見やすく分かり易い。
【０００８】
請求項２に係る発明は、上記第１の目的を達成するため、音声ＩＣによる音声及び、モニタ用液晶画面に表示する静止画又は動画は、給油或いは補給以外の故障、メンテナンス等でも表現可能としたことを特徴としたことで、故障、メンテナンス等を画像と音声で表現することができ、見やすく分かり易い。
【０００９】
請求項３に係る発明は、上記第２の目的を達成するため、音声ＩＣによる音声は子猫、子犬等のペットキャラクターの鳴き声とし、給油報知或いは補給報知はペットキャラクターの空腹時の鳴き声、満量報知或いは補給完了報知はペットキャラクターの満腹時の鳴き声としたことを特徴としたことで、使用者に給油或いは補給を強要するイメージが緩和され、和やかな気分で給油或いは補給ができ、今まで苦痛に感じていた給油作業がペットにエサを与える感覚となり、リアクションを楽しむことができる。
【００１０】
請求項４に係る発明は、上記第２の目的を達成するため、モニタ用液晶画面に表示する静止画又は動画は子猫、子犬等のペットキャラクターの画像とし、給油報知或いは補給報知はペットキャラクターの空腹時の画像、満量報知或いは補給完了報知はペットキャラクターの満腹時の画像としたことを特徴としたことで、使用者に給油或いは補給を強要するイメージが緩和され、和やかな気分で給油或いは補給ができ、今まで苦痛に感じていた給油作業がペットにエサを与える感覚となり、リアクションを楽しむことができる。
【００１１】
請求項５に係る発明は、上記第２の目的を達成するため、音声ＩＣによる音声は子猫、子犬等のペットキャラクターの鳴き声とし、給油毎或いは補給毎或いは複数回の給油毎或いは複数回の補給毎にペットキャラクターの鳴き声が成長した鳴き声になることを特徴としたことで、給油或いは補給そのものがゲーム感覚となり、給油作業或いは補給作業が楽しくなり、進んで給油或いは補給がしたくなる。
【００１２】
請求項６に係る発明は、上記第２の目的を達成するため、モニタ用液晶画面に表示する静止画又は動画は子猫、子犬等のペットキャラクターの画像とし、給油毎或いは補給毎或いは複数回の給油毎或いは複数回の補給毎にペットキャラクターの画像が成長した画像になることを特徴としたことで、給油或いは補給そのものがゲーム感覚となり、給油作業或いは補給作業が楽しくなり、進んで給油或いは補給がしたくなる。
【００１３】
請求項７に係る発明は、上記第２の目的を達成するため、音声ＩＣによる音声は子猫、子犬等のペットキャラクターの鳴き声とし、このペットキャラクターの鳴き声を複数設け、その中からペットキャラクターの鳴き声を適宜選択可能としたことを特徴としたことで、使用者はより自分の好みに応じたペットキャラクターを選択できるようになり、給油作業或いは補給作業が楽しくなり、進んで給油或いは補給がしたくなる。
【００１４】
請求項８に係る発明は、上記第２の目的を達成するため、モニタ用液晶画面に表示する静止画又は動画は子猫、子犬等のペットキャラクターの画像とし、このペットキャラクターの画像を複数設け、その中からペットキャラクターの画像を適宜選択可能としたことを特徴としたことで、使用者はより自分の好みに応じたペットキャラクターを選択できるようになり、給油作業或いは補給作業が楽しくなり、進んで給油或いは補給がしたくなる。
【００１５】
請求項９に係る発明は、上記第２の目的を達成するため、ペットキャラクターは成長しきると、そのペットキャラクターの子供に画像が切り替わり、成長を繰り返すことを特徴としたことで、使用者がペットキャラクターに飽きることを防ぐと共に、給油或いは補給そのものがゲーム感覚となり、給油作業或いは補給作業が楽しくなり、進んで給油或いは補給がしたくなる。
【００１６】
請求項１０に係る発明は、上記第２の目的を達成するため、ペットキャラクターは成長しきると、それまでのデータはクリアされ、初期のペットキャラクターの画像に戻り、成長を繰り返すことを特徴としたことで、使用者がペットキャラクターに飽きることを防ぐと共に、給油或いは補給そのものがゲーム感覚となり、給油作業或いは補給作業が楽しくなり、進んで給油或いは補給がしたくなる。
【００１７】
請求項１１に係る発明は、上記第２の目的を達成するため、ペットキャラクターは成長しきると、違うペットキャラクターの初期画像に切り替わり、成長を繰り返すことを特徴としたことで、使用者がペットキャラクターに飽きることを防ぐと共に、給油或いは補給そのものがゲーム感覚となり、給油作業或いは補給作業が楽しくなり、進んで給油或いは補給がしたくなる。
【００１８】
請求項１２に係る発明は、上記第２の目的を達成するため、ペットキャラクターの成長データは石油ストーブ本体或いは補給又は故障の報知を行う機器の報知装置本体の電源ＯＦＦでも初期化されること無く、本体内蔵メモリに自動的に保存されることを特徴としたことで、使用者がいつでも前回の続きからペットキャラクターを成長させることができるようにすることで、ペットキャラクターに実際のペットと同様の愛着をもてる。
【００１９】
【発明の実施の形態】
次に、この発明の一実施形態を図面に従って説明する。
図１において１は石油燃料を気化して燃焼し、この燃焼熱をそのまま室内放出して暖房を行う石油ファンヒータ等の石油ストーブ本体で、正面上部には運転スイッチ２及び他の操作用のスイッチを備えた操作部３が設けられ、この下方には温風放出用の吹き出し口４を備えている。
【００２０】
５は前記石油ストーブ本体１の正面中央に備えられた大画面のモニタ用液晶画面で、子猫、子犬等、ここでは子犬のペットキャラクター６を動画で表示するものであり、その横側には画面操作部７が設けられている。
【００２１】
８は前記画面操作部７に備えられた画面表示ＯＮ／ＯＦＦスイッチで、モニタ用液晶画面５が運転スイッチ２と連動してＯＮ／ＯＦＦするので、モニタ用液晶画面５の表示が必要ない時には、強制的にＯＦＦ出来るように設けられたもので、使用者の好みに応じて選択できるようにしたものである。
【００２２】
９は前記画面操作部７に備えられた画像選択スイッチで、複数設けてある子犬のペットキャラクター６の画像の中から使用者の好みに応じて画像を選択できるようにしたものである。又この画像選択スイッチ９は子犬の性格、形、種類、性別、生年月日等の詳しい内容も適宜選択可能としている。
【００２３】
１０は前記画面操作部７に備えられた音声選択スイッチで、複数設けてある子犬のペットキャラクター６の音声の中から使用者の好みに応じて音声を選択できるようにしたものである。
【００２４】
１１は前記画面操作部７に備えられた子犬のペットキャラクター６のリセットスイッチである。
【００２５】
図２の電気回路について説明すれば、マイクロコンピュータ１２の入力側には重量センサ或いは光学式センサから成り、燃料の空状態及び満量状態の両方を検知する給油センサ１３が接続されており、又運転スイッチ２とリセットスイッチ１１と炎検知器１４とカウンター１５も接続されている。更にマイクロコンピュータ１２の出力側には、前記モニタ用液晶画面５及び音声ＩＣ１６、スピーカ１７が接続されており、給油センサ１３による空状態検知の信号入力でマイクロコンピュータ１２はモニタ用液晶画面５に出力し、子犬のペットキャラクター６の空腹時の画像「元気が無く寝ころんでいる状態」を表示させると共に、音声ＩＣ１６に出力してスピーカ１７を介して子犬のペットキャラクター６の空腹時の鳴き声「クン、クン」を発生させるものである。
【００２６】
又給油センサ１３による満量状態検知の信号入力でマイクロコンピュータ１２はモニタ用液晶画面５に出力し、子犬のペットキャラクター６の満腹時の画像「元気に走り回っている状態」を表示させると共に、音声ＩＣ１６に出力してスピーカ１７を介して子犬のペットキャラクター６の満腹時の鳴き声「ワン、ワン」を発生させるものである。
【００２７】
更に炎検知器１４による故障、メンテナンス状態検知の信号入力で、マイクロコンピュータ１２はモニタ用液晶画面５に出力し、子犬のペットキャラクター６の故障、メンテナンスの症状に応じた画像「手足を伸ばして仰向けに寝ている状態」を表示させると共に、音声ＩＣ１６に出力してスピーカ１７を介して子犬のペットキャラクター６の故障、メンテナンスの症状に応じた鳴き声「フー、フー」を発生させるものである。
【００２８】
そしてカウンター１５による給油後の再燃焼時間カウントが所定時間になることによる時間検知の信号入力で、マイクロコンピュータ１２はモニタ用液晶画面５に出力し、前記子犬のペットキャラクター６の成長した画像を表示させると共に、音声ＩＣ１６に出力してスピーカ１７を介して前記子犬のペットキャラクター６の成長した鳴き声を発生させるものであり、給油後の再燃焼を条件として成長の画像及び鳴き声を発生させるもので、給油後再燃焼させない時には成長させないものである。
【００２９】
次にこの一実施例の作動図を図３と、図４のフローチャートに従って説明する。今、ステップ１８で子犬のペットキャラクター６を選択すると、ステップ１９に進み、選択した子犬のペットキャラクター６がモニタ用液晶画面５に表示される。
【００３０】
次にステップ２０で給油センサ１３によって給油タイミングを検知すると、ステップ２１に進み、子犬のペットキャラクター６の空腹時の画像がモニタ用液晶画面５に表示されると共に、子犬のペットキャラクター６の空腹時の鳴き声がスピーカ１７から発せられる。
【００３１】
そして給油後のカートリッジタンクを石油ストーブ本体１に装着することで、ステップ２２で給油センサ１３によって満量タイミングが検知され、ステップ２３に進み、子犬のペットキャラクター６の満腹時の画像がモニタ用液晶画面５に表示されると共に、子犬のペットキャラクター６の満腹時の鳴き声がスピーカ１７から発せられる。
【００３２】
次にステップ２４で給油後の再燃焼時間と一定時間Ｔ（ここでは５分）をカウンター１５で比較して再燃焼時間が一定時間Ｔ以上の時には、ＹＥＳでステップ２５に進み、モニタ用液晶画面５に成長した子犬のペットキャラクター６の画像が表示されると共に、スピーカ１７から成長した子犬のペットキャラクター６の鳴き声が発せられる。ここで、図３は成長する前と成長した後の子犬のペットキャラクター６の画像を示したものである。
【００３３】
次にステップ２６で炎検知器１４が異常（ここでは失火の場合）を検知した時はステップ２７に進み、失火に応じた子犬のペットキャラクター６の画像がモニタ用液晶画面５に表示されると共に、失火に応じた子犬のペットキャラクター６の鳴き声がスピーカ１７から発せられる。そして、この画像及び鳴き声によって失火と判断して、失火原因を取り除く。
【００３４】
次にステップ２８でリセットスイッチ１１により子犬のペットキャラクター６のデータをリセットするかを判断し、ＹＥＳならステップ１８に戻り、子犬のペットキャラクター６を選択する。ＮＯならステップ２０に戻り、子犬のペットキャラクター６は成長を繰り返す。
【００３５】
従って、給油情報や故障情報をモニタ用液晶画面５と音声ＩＣ１６によって見やすく分かり易く表現でき、又給油作業はペットにエサを与える感覚となり、リアクションを楽しみながら石油ストーブと接することができるようになり、色々な子犬のペットキャラクター６を設けておくことで楽しみも増し、給油作業が楽しくなる。更に、石油ストーブを実際のペットと同じように扱うようになるため、故障に対する処置が正しく行われるようになる。
【００３６】
この一実施形態では、石油ストーブに限定して説明したが、これに限定されることなく、例えば補給を必要とする機器であるコピー機では、トナーが無くなったことを検知して、ペットキャラクター６を登場させ、その音声を発するようにしたことで、今まで苦痛に感じていた補給作業がペットにエサを与える感覚となり、リアクションを楽しみながらコピー機と接することができるようになり補給作業そのものが楽しくなると共に、コピー機を実際のペットと同じように扱うようになるため、故障、メンテナンス等に対する処置が正しく行われるようになる。
【００３７】
又同じく携帯電話では、電池が無くなったことを検知して、ペットキャラクター６を登場させ、その音声を発するようにしたことで、今まで苦痛に感じていた充電がペットにエサを与える感覚となり、リアクションを楽しみながら携帯電話と接することができるようになり充電そのものが楽しくなると共に、携帯電話を実際のペットと同じように扱うようになるため、故障、メンテナンス等に対する処置が正しく行われるようになる。
【００３８】
又同じくファクシミリでは、用紙が無くなったことを検知して、ペットキャラクター６を登場させ、その音声を発するようにしたことで、今まで苦痛に感じていた紙補給作業がペットにエサを与える感覚となり、リアクションを楽しみながらファクシミリと接することができるようになり紙補給作業そのものが楽しくなると共に、ファクシミリを実際のペットと同じように扱うようになるため、故障、メンテナンス等に対する処置が正しく行われるようになる。
【００３９】
又ここに上げていないが、その他補給を必要とする機器であれば、どのような機器でも応用可能で、同様な効果が得られるものである。
【００４０】
【発明の効果】
以上のようにこの発明によれば、給油或いは補給情報と故障、メンテナンス情報等をランプや警報音で知らせるのではなく、モニタ用液晶画面と音声ＩＣによるペットキャラクターの画像と音声により知らせることで見やすく分かり易く表現できるようにし、更に使用者に給油或いは補給を強要するイメージが緩和され、和やかな気分で給油或いは補給ができ、今まで苦痛に感じていた給油作業或いは補給作業がペットにエサを与える感覚となり、リアクションを楽しみながら石油ストーブ、及び補給又は故障の報知を行う機器の報知装置と接することができるようになると共に、色々なペットキャラクターを設けておくことで楽しみが増加し、給油或いは補給そのものがゲーム感覚となることなどから、給油作業或いは補給作業そのものが楽しくなり、進んで給油或いは補給がしたくなる。又石油ストーブ、及び補給又は故障の報知を行う機器の報知装置を実際のペットと同じように扱うようになるため、故障、メンテナンス等に対する処置が正しく行われるようになる。
【図面の簡単な説明】
【図１】この発明の一実施形態を示す石油ストーブの斜視図
【図２】同電気回路のブロック図
【図３】同要部の説明図
【図４】同要部のフローチャート
【符号の説明】
５  モニタ用液晶画面
６  ペットキャラクター
１３  給油センサ
１６  音声ＩＣ
【図１】
2004340503.tif 000003
【図２】
2004340503.tif 000004
【図３】
2004340503.tif 000005
【図４】
2004340503.tif 000006